Podtech/llm-jp-corpus-v4-ja_patent huggingface dataset:
(57)【要約】【課題】  同心円回転式エンジンの作動原理を提供する。【解決手段】  ロータ（１）、ハウジング（２）、摺抜弁（３）（４）、同期ギア（５）、燃料噴射ポンプ（６）、点火プラグ（７）、の７つの構成からなる機構を特徴とする。【選択図】図１
2011117425.tif 000002
【特許請求の範囲】
【請求項１】
ロータ（１）、ハウジング（２）、吸気排気側摺抜弁（３）、圧縮燃焼側摺抜弁（４）、同期ギア（５）、燃料噴射ポンプ（６）、点火プラグ（７）の７つの構成よりなる同心円回転式エンジンの作動原理。
【発明の詳細な説明】
【技術分野】
【０００１】  ロータの摺抜機構を使った同心円で回転式のエンジンの作動原理に関するものである。
【背景技術】
【０００２】  ロータ（１）をハウジング（２）の内側で回転させるだけでは圧縮燃焼はできない。
【発明の開示】
【発明が解決しようとする課題】
【０００３】  レシプロエンジンのシリンダーヘッドに相当するものを設けること。
【課題を解決するための手段】
【０００４】  圧縮燃焼側摺抜弁（４）を設けることで解決した。
【発明の効果】
【０００５】  振動の少ない回転式のエンジンを作ることができる。又、多気筒化も容易である。
【発明を実施するための最良の形態】
【０００６】  ここでは本発明の作動原理を説明する。
図１の右上から時計回りに吸気、圧縮、燃焼、排気の４サイクル、半回転で全工程の回転式エンジンになっている。
図中点線は点火直前のロータ（１）圧縮燃焼側摺抜弁（４）の位置関係を示す。
【図面の簡単な説明】
【０００７】
【図１】  本発明の組立図である。
【符号の説明】
【０００８】１  ロータ
２  ハウジング
３  吸気排気側摺抜弁
４  圧縮燃焼側摺抜弁
５  同期ギア３枚
６  燃料噴射ポンプ
７  点火プラグ
【図１】
2011117425.tif 000003
(57)【要約】      （修正有）【課題】上下回転風車は巨塔に１００ｍぐらいの３枚羽をもち、風をハラムことなく風をスライドしながら回転している。羽が短い場合はパヮーが発揮しない。【解決手段】それに対して横回転風車は１２枚の羽をもち、常に３分の１以上の羽に充分に風をハラミ、上下回転風車に比較して小規模で力持ち、充分なパワーを出せると考えられる。又、下のベースの工築物は住居・倉庫・工場等に使用でき、非常に合理的である。尚、工築物は円形だけに限らない。【選択図】図１
2011117426.tif 000002
【特許請求の範囲】
【請求項１】
通常の風力発電は上下型回転式風力発電が多く、広大なスペースと大規模な建造物が必要とされている。しかし、この発明は平行、横回転により、小さなスペースと小規模建造物で一般民家所得可能となる。
【発明の詳細な説明】
【発明の詳細な説明】
【技術分野】
【０００１】  本発明は、上下回転する風車ではなく、羽の角度、形を研究し、風に向う羽を風抵抗を極限少なくし、回転に役立つ羽の風圧・風容量を合理的に受け止めて回転さす横回転風車である。そして、工築物ドームの上に設置可能で、微風・強風でも回転する平行横回転する風車である。
【背景技術】
【０００２】  従来の風車は上下回転で広大なスペース・巨大な高さの塔などで費用が莫大であり、経費の面においても所有者は限定されている。そして、塔のまわりは危険区域で住むことも他の利用価値もない。
【発明が解決しようとする課題】
【０００３】  風車が回転する場合、通常、羽を風上に向け上下回転するもので高い塔、広大な敷地が必要とされている。しかし、当発明は風上の方向は自由で平行・横回転するので、高い塔も広大な敷地も必要ない。そして、危険性も少なく安全である。
【課題を解決するための手段】
【０００４】  当風車は上下回転でなく、平行・横回転するため、風の流れを羽で風車を回転さす羽（Ａ）と風上に向う羽（Ｂ）が同時に作動するので、風上の羽を風の抵抗を０に近づけて回転さす。
【発明の実地の形態】
【０００５】  当発明風車は方向はさだめず、風車を回転さす羽（Ａ）と風上に向う羽（Ｂ）が常に対立する。回転さす羽（Ａ）を１００％活用し、風上に対立する羽（Ｂ）を形で風の流れを調整して、限りなくゼロになるよう工夫する。
【実地例】
【０００６】  以下  添付面に従って実地例を説明する。
風車を回転さす風（Ｃ）は羽（Ａ）。羽の上部先端（Ｋ）から入り込み下部袋形（Ｌ）にまで風圧力として、風車を回転さす力となる。一方風（Ｄ）は流線形の羽（Ｂ）に対し、抵抗ゼロに近づけて流れて通過する。
【図面の簡単な説明】
【０００７】
【図１】  横回転する風車の平面図である。
【図２】  横回転する風車の側面図と回転さす羽の役割と、風を逃がす羽の役割
【図３】  エコハウスの横回転する風車の合理的な姿。
【符号の説明】
【０００８】  Ａ    風圧で風車を回転さす羽
Ｂ    風上に向い抵抗を逃す流線形の羽
Ｃ    風車を回転さす風
Ｄ    羽に抵抗する風
Ｅ    風を大きく受け向う風を逃す羽
Ｅ’  回転により風を取り入れたり逃したりする
Ｆ    風の流れを合理的に設置された横回転風車
Ｇ    横回転する風車を設置する合理的円形建物
Ｈ    入口扉
Ｉ    窓
Ｊ    安全柵
Ｋ    羽の上部先端
Ｌ    羽の下部の袋形
Ｍ    上下回転風車
Ｎ    横回転風車
Ｏ    円形フレーム
Ｐ    ベランダ
【図１】
2011117426.tif 000003
【図２】
2011117426.tif 000004
【図３】
2011117426.tif 000005
(57)【要約】【課題】冷却塔は、主に空調機の冷凍サイクルの設備機器として用いられ、空気 (外気)と循環水を直接接触させる為、設置は屋上や道路側の屋外など限定された場所が多く、また使用する水質(カルキ)等により、汚れより空調機の能力を低下させる、最近、冷却塔はレジオネラ属菌など感染菌の温床といわれ衛生面で悪影響を及ぼす、その為メンテナンスは循環水のスケールの除去や防菌など点検は欠かせない、更には経年によるメンテナンス費用も重なる。【解決手段】この解決手段として、冷却塔内での循環水が接触する構成機材である充填材、中間充填材受、ルーバ、エリミネータ、各本体表面と上下部水槽、配水箱の内面、その他水か空気と接触する機材に、光触媒を有する物質からなる薄膜を形成させることにより、冷却塔内部機材のスケールの累積、細菌類の繁殖などの抑制に貢献し、更にはメンテナンスや設備装置費用等が軽減される。【選択図】図2
2011117684.tif 000002
【特許請求の範囲】
【請求項１】
光触媒を有する物質からなる薄膜が、循環水が滴下する充填材並びに充填材を組立て構成する機材本体及び循環水を溜める上部、下部水槽、配水箱内部の表面に、形成されたことを特徴とする冷却塔。
【請求項２】
請求項1の適用範囲は冷却塔内部の機材において水と空気のいずれかに接触する機材とし、光が当たる部位に光触媒である二酸化チタン(Tio2)を、光が当たりにくい部位には銀系酸化チタンを施した冷却塔。
【発明の詳細な説明】
【技術分野】
【０００１】
この発明は、冷却塔内部における循環水の熱交換に使用する機材に関する。
【背景技術】
【０００２】
冷却塔内部の循環水が接触する充填材並びに付属機材に附着するスケールの累積や発生する細菌類等の繁殖抑制を図る。
【０００３】
この改善策として、従来の冷却塔内の循環水の水質管理としては、一般的に定期的な水質検査を行い、汚れの頻度により道具を使ったりする物理的な清掃、洗浄を行ったり、薬注タンクを設置した装置を使って循環水に投入するなどの化学的洗浄などで処理管理されており、その一例を先行技術文献、特許文献1に示す。
【先行技術文献】
【特許文献】
【０００４】
【特許文献１】特開2007-22517号公報
【発明の概要】
【発明が解決しようとする課題】
【０００５】
従来の冷却塔内の充填材部分は空気(外気)と循環水が、ファンによって強制的に直接接触させ、その循環水の蒸発作用によって冷却するもので、水を蒸発させる熱交換器である。効率的に熱交換させるため、空気と水の接触時間を永くし、水を滴状に表面積を広くとるための構造として充填材を利用しているが、その充填材や循環水を溜める水槽には、スケールや細菌類等が附着繁殖するので、循環水には薬液投入等メンテナンス管理技術の一例が特許文献１によって提案されている。しかしながら、以上の技術によれば、薬液を投入する為のタンクや注入ポンプとコントロール部は、その設置スペースや設備機材等が必要とされ、その装置のアフターメンテナンスは欠かせないものとなっている。  そこでこの発明は、新たな設備機材や設置スペースを必要とすることなく、循環水が接触する充填材並びに付属機材へのスケールやレジオネラ属菌など細菌類等の累積や繁殖を抑制させるための改善を提供することを課題とする。
【課題を解決するための手段】
【０００６】
以上の課題を解決するために、この発明は、充填材並びに充填材に組立て構成している付属機材、エリミネータ、ルーバ、中間充填材受材、及び上部水槽、下部水槽、配水箱の内側面と底面の表面及び水と空気に接触する機材部位に、光触媒である二酸化チタン(Tio2)、または銀系酸化チタンを薄膜状にコーティングすることを特徴とする冷却塔である。
【発明の効果】
【０００７】
この発明によれば、冷却塔内部の充填材並びに充填材に組立構成している付属機材、エリミネータ、ルーバ、中間充填材受材、と上部水槽及び下部水槽、配水箱内面に、二酸化チタンまたは銀系参加チタンが該部材表面にコーティングされており、光触媒機能作用によって該部材に付着する循環水の含有有機物は分解され、スケールや細菌の繁殖は抑制されることが可能となるので、ブラシやジェット洗浄などの物理的清掃や、薬剤を使用した化学洗浄などの回数頻度が減少し、メンテナンスも簡便になり、洗浄の為の設備機材装置などの設置スペースや費用面においても軽減される。
【図面の簡単な説明】
【０００８】
【図１】図1はこの発明の一実施形態を示す斜視図
【図２】図2は角型冷却塔の内部構造図
【発明を実施するための形態】
【０００９】
この発明の一実施形態を、図１と図2に示す。
冷却塔は図１形状図に示す様に角型と丸型があり、冷却の原理的内部構造は粗方類似しているので角型について図2その構造図に基き示す。冷却塔は水を循環させながら空気(外気)を送風ファンにより強制的に接触させて冷却水をつくる仕組みを機械的仕掛けによって構成している。その構成機材においては、冷却塔外から給水された水は、下部水槽9に一定水量を貯め冷却水ポンプ10によりポンプアップされ配水箱３を通して上層水槽４に送られ充填材6に散滴下し下部水槽9へ落下する、同時に空気(外気)は、その間送風ファン2によりルーバ5から充填材6を通過しながら循環水と接触し水を冷やして冷却塔上部外へ移動する。ルーバ5は空気の入り口ガイドパネルの役割、エリミネータ8は充填材からの水滴飛散を抑える機能としている。これらの機材(1と10以外)に光触媒である二酸化チタン(Tio2)または銀系酸化チタンを薄膜状にコーティングを施しておく。光触媒コーティング組織物が空気や水等の流体と接触することにより、空気や水の有機酸化物を分解し微生物や細菌の繁殖を抑制する等の浄化を行うことは実証されている。
【００１０】
この実施形態によれば、冷却塔を構成する機材や構成部品は、既存の製品と同一の物で、前記に示す機材に製造工程の組立て前に二酸化チタン(Tio2)または銀系酸化チタンをコーティングする工程は増えるが、機材や構成部品の数量の追加変更は生じない。したがって、循環水と接触する光触媒コーティングされた該機材表面が優れた親水性や酸化物や微生物の分解力による浄化作用を行うことにより、スケールの除去や細菌類の駆除の為の設備費用やメンテナンスなどの維持費用が軽減され、更には冷却塔の冷却効率が改善される。
【符号の説明】
【００１１】
１  ファンモータ
2  ファン  
3  配水箱  
4  上部水槽  
5  ルーバ
6  充填材
7  中間充填材受    
8  エリミネータ  
9  下部水槽  
10  冷却水ポンプ
【図１】
2011117684.tif 000003
【図２】
2011117684.tif 000004
(57)【要約】      （修正有）【課題】コンクリート再生路盤材の原料不足を解決することを目的とし、石炭灰をリサイクルすることによって得られる再生路盤材を提供する。【解決手段】ポゾテック破砕材とコンクリート粗骨材の廃棄物（ジュリ）を混合して製造できる再生路盤材をつくる事で石炭灰のリサイクルができ又製造単価も低くなる。【選択図】なし【特許請求の範囲】
技術名称ポゾジュリ路盤材（石炭灰を利用し石灰安定処理した湿潤状の粉体路盤材）を圧縮、養生し固化した塊を破砕し、コンクリート粗骨材の廃棄物（ジュリ）と混合して再生路盤材をつくる。
【発明の詳細な説明】
【発明の詳細な説明】
【発明に属する技術分野】
【０００１】この発明はポゾテック（石炭灰を利用し石灰安定処理した湿潤状の粉体）を圧縮、養生し固化した塊を破砕し、コンクリート粗骨材の廃棄物（ジュリ）と混合し混合再生路盤材に関するものである。
【背景技術】
【０００２】建設副産物のコンクリート瓦礫を破砕し、これに増量材のためポゾテックを２５％混ぜた再生路盤材だった。
【発明が解決しようとする課題】
【０００３】これは次のような欠点があった。
リサイクル法の施工に伴いコンクリート再生路盤材の需要が高まり原料のコンクリート瓦礫が不足している。
本発明は、これらの欠点を除くためになされたものである。
【課題を解決するための手段】
【０００４】ポゾテックの需要を高める為、コンクリート粗骨材の廃棄物（ジュリ）と混合し混合再生路盤材を製造することで緩和する事ができる。
本発明は、以上の構成よりなる再生路盤材（ポゾジュリ路盤材）である。
【発明を実施するための形態】
【０００５】ポゾジュリ路盤材（上層路盤材及び下層路盤材）の製造方法
（イ）ポゾテック（石炭灰＋石膏＋消石灰＋水）を圧縮、養生し固化した塊をつくり、破砕してポゾテック破砕材をつくる。
（ロ）コンクリート粗骨材の廃棄物（ジュリ）と３０％〜５０％混合し路盤材規格（プラント再生舖装技術指針・社団法人  日本道路協会）に合う粒状再生路盤材を製造して使用する。
・路盤材の試験内容
粒度、すりへり、修正ＣＢＲ、液状限界、塑性限界
（ロ）工事現場に運搬し既存の粒状路盤材と同様の施工要領で道路等の上層路盤材及び下層路盤材として使用できる。
【発明の効果】
【０００６】再生路盤材の需要が高まり原料のコンクリート瓦礫が不足している現状でポゾテック破砕材とコンクリート粗骨材の廃棄物（ジュリ）を混合して製造できる再生路盤材をつくる事で緩和する事ができる。
2011219914.tif 000002
(57)【要約】【課題】身体の胴体部分を測定しようとする時には、その都度、メジャーを身体に巻きつける必要があった。  本発明は、いつでも、どこでも、簡単に測定することが出来るメジャーを提供する。【解決手段】横長状のベルトの一端に、ストッパー付バックルを設け、ベルトの表面、中央部分に細幅からなる横長状の測定部を設け、測定部長手方向に等間隔の目盛りを設け、バックル裏面のベルト挟持部に目盛り０起点を設け、バックル表面のベルト繰り出し部、測定位置の数値を測定値とする、メジャーベルト。【選択図】図１
2011219908.tif 000002
【特許請求の範囲】
【請求項１】
横長状のベルトの一端に、ストッパー付バックルを設け、ベルトの表面の中央部分に細幅からなる横長状の測定部を設け、測定部の長手方向に等間隔の目盛りを設け、バックル裏面のベルト挟持部に目盛り０起点を設け、バックル表面のベルト繰り出し部の測定位置の数値を測定値とする、メジャーベルト。
【発明の詳細な説明】
【技術分野】
【０００１】  本発明は、身体の胴体部分の測定を容易にするメジャーベルトに関するものである。
【背景技術】
【０００２】  従来、身体の胴体部分を測定しようとする時には、その都度メジャーを取り出し、メジャーを身体に巻きつけ、交差部を測定していた。
なお、ベルトの内側に測定部を設けたメジャー付きベルトが知られている（特許文献１参照）。
又、ベルトに目盛りを設けた目盛り付きベルトが知られている（特許文献２参照）。
【先行技術文献】
【０００３】
【特許文献１】  特開  ２００５−２８１９４３号公報
【特許文献２】  特開  平９−３１０２１４号公報
【発明の概要】
【発明が解決しようとする課題】
【０００４】  身体の胴体部分の測定をしようとする時には、その都度、メジャーを取り出して、メジャーを身体に巻きつけて、測定する必要があった。
又、目標を持って、腹部の増減を管理しようとする時に効果的に使用できる器具がなかった。
本発明は、以上の問題点を解決するためになされたものである。
【課題を解決するための手段】
【０００５】  横長状のベルトの一端に、ストッパー付バックルを設け、ベルトの表面中央部分に細幅からなる横長状の測定部を設け、測定部長手方向に等間隔の目盛りを設け、バックル裏面のベルト挟持部に０起点を設け、バックル表面のベルト繰り出し部、測定位置の数値を測定値とする。
以上の構成よりなるメジャーベルト。
【発明の効果】
【０００６】  従来、メジャーを取り出し、体に巻きつけて測定しなければならなかったが、本発明により、ベルトを着用している際には、いつでも、どこでも、簡単に測定する事ができる。
又、毎日着用する事により、簡単に、継続して、腹部の増減をチェックする事が出来、目標を持ってサイズダウンしようとする際の意識向上の手助けとなる。
さらに、メジャーで測定する時には、メジャーの交差点をずらして、目盛り０起点を知る必要があったが、本発明のベルトは、０起点がバックル側面下にあるため、ベルト表面の数字を読み取る事で、すぐ測定できる。ストッパーで止めてあるので、ベルトをずらしたり、体を前かがみにしたりしても、数字が変わる事もない。巻きつけ方向にも左右されず読み取れる。
【図面の簡単な説明】
【０００７】
【図１】  本発明の斜視図
【図２】  本発明の正面図
【図３】  本発明のバックル側面図
【発明を実施するための形態】
【０００８】    以下、本発明の実施の形態を説明をする。
（イ）横長状のベルト（１）の一端に、ストッパー付きバックル（２）を設ける。
（ロ）ベルト（１）の表面中央部分に、細幅からなる横長状の測定部（３）を設け、測定部（３）の長手方向に等間隔の目盛り（４）を設ける。
（ハ）バックル裏面（２ｂ）のベルト挟持部に目盛り０起点（５）を設け、バックル表面（２ａ）のベルト繰り出し部（６）の目盛りを測定位置（７）とする。
本発明は、以上のような構造である。
本発明を使用する時は、通常のベルト使用と同様であるが、測定時には、ベルトを締め付けずに体にフィットさせ、ローラー（８）をスライド部（９）でスライドさせ、ベルトを留め板（１０）に、はさみつけて、ベルトを固定させる。バックル表面（２ａ）の繰り出し部（６）の測定位置（７）の数字を読み取る。
【符号の説明】
【０００９】１  ベルト、  ２  バックル、  ２ａ  バックル表面、  ２ｂ  バックル裏面、
３  測定部、  ４  目盛り、  ５  目盛り０起点、  ６  繰り出し部、
７  測定位置、  ８  ローラー、  ９  スライド部、  １０  留め板、
【図１】
2011219908.tif 000003
【図２】
2011219908.tif 000004
【図３】
2011219908.tif 000005
(57)【要約】【課題】納骨時の労力を低減する。【解決手段】拝石３に納骨用の小穴３ａをあけ、その穴の上に枠体６を固定し、その上に蓋石７を設ける。枠体は、後辺に沿って半円形断面の受溝６ｂが形成してある。この受溝に係合する円形断面部７ａを蓋石の後辺に沿って形成し、蓋石７が枠体の受溝の周りに回動できるようにする。この蓋石７には法名を刻んで法名碑としても活用することができ、その場合、法名を入れる作業中に蓋石７が外されるので、その間、枠体６の穴６ａを塞ぐために小蓋１２をスライド自在に設ける。【選択図】図１
2011219971.tif 000002
【特許請求の範囲】
【請求項１】
納骨堂の上に置かれる、納骨用の小穴を開けた拝石と、該小穴を囲むように該拝石に取り付けられた枠体と、該小穴を開閉するための、該枠体の上に一辺が枢支され蓋石７からなり、該枠体は、その一辺に沿って半円形断面の受溝を有し、該受溝に係合するほぼ円形断面部を該蓋石の後辺に沿って形成した、墓の拝石装置。
【請求項２】
該蓋石をほぼ垂直に開いた状態に保つためのストッパを設けた請求項１に記載の墓の拝石装置。
【請求項３】
該枠体の中心穴を塞ぐために、取り外し自在の小蓋を設けた請求項１または２に記載の墓の拝石装置。
【発明の詳細な説明】
【技術分野】
【０００１】
この発明は、納骨堂を塞ぐ拝石に関する。
【背景技術】
【０００２】
限られた敷地面積に建てられた従来の墓では、図４に示すように、納骨堂を塞ぐ拝石２０の上に香炉２１と花立２２が置かれている。このような配置の墓では、納骨の際、香炉と拝石を除けてから、拝石を移動する必要がある。このため、移動しなければならない石材の総重量は２００kgにも達し、多くの労力を要する。また、移動時に、角をぶつけて石材に傷が付くことがよくある。
【発明の概要】
【発明が解決しようとする課題】
【０００３】
この発明は、納骨作業の労力を低減することを課題とする。
【課題を解決するための手段】
【０００４】
この発明の拝石装置は、納骨堂の上に置かれる、納骨用の小穴を開けた拝石と、該小穴を囲むように拝石に取り付けられた枠体と、該小穴を開閉するための、該枠体の上に一辺が枢支され蓋石からなり、枠体は、その一辺に沿って半円形断面の受溝を有し、この受溝に係合する円形断面部を蓋石の後辺に沿って形成して成る。このものでは、蓋石を開けることで、拝石の小穴が現れるので、拝石自体を取り除かなくとも、小穴から納骨ができるというメリットがある。それだけではなく、蓋石は一辺が枠体に枢支されてて、上向きに開くことができるので、蓋石を脇に移動させる場合に比べて。小さな力で足りる。
【０００５】
蓋石を枢支するために蝶番を使うことが考えられるが、蝶番は石材に取り付けるには無理があり、ボルトなどを使って取り付けても石材が割れやすい。そこでこの発明では、枠体の一辺に沿って半円形断面の受溝を形成し、この受溝に係合するほぼ円形断面部を蓋石の一辺に沿って設ける。この受溝の中で円形断面部が擦動して蝶番と同じ働きをし、蓋石がスムースに回動でき、しかも壊れにくいという特徴がある。なお、納骨の際中、蓋石を上に開いた状態に保持するために、ストッパを設けると使いやすい。
【０００６】
墓には墓石とは別に法名碑を設け、これに故人の法名を刻むのが本来の姿である。しかし、敷地が狭くて法名碑が建てられたない墓では、法名は棹石の後面に彫ったりしていた。このように石塔に法名を直接彫る場合は、手間が多く掛かって費用が嵩むという問題がある。この発明の拝石装置では、蓋石に法名を刻むことができ、蓋石が法名碑の役割を担うことができる。本発明の蓋石は、拝石から簡単に外すことができ、しかも、簡単に持ち運びできるので、外した蓋石を加工業者に持ち込んで、法名の彫り込んでもらえば、費用も大してかからない。このように法名を彫りこむために蓋石を外すことがあるので、その間、拝石の穴を塞ぐため、別に蓋を設けるとよい。
【図面の簡単な説明】
【０００７】
【図１】墓の全体斜視図であり、（ａ）は通常時、（ｂ）は納骨時を示す。
【図２】拝石装置の要部分解斜視図である。
【図３】拝石装置の断面図である。
【図４】従来の墓の全体図である。
【発明を実施するための形態】
【０００８】
図１に示すように、納骨堂１上に墓石２を置き、納骨堂の前側は拝石３で塞ぐ。拝石３の中央に、納骨のための小穴３ａを穿設し、その上に石材製の枠体６を接着剤で固定し、その上に蓋石７を設ける。蓋石は、普段は図１（ａ）に示すように閉じられており、納骨時は同図（ｂ）に示すように上に開かれる。
【０００９】
香炉９および花立１０はいずれも、拝石３の上には置かずに、墓石２の台石の中に組み込む。香炉９は両開きの扉９ａを有しており、扉を開けると中に空間が現れ、その中で線香を焚いたり、蝋燭を燈すことができるようになっている。花立１０も石材製で、台石の角部に形成した窪み１１の中に、垂直軸周りに回動自在に支持されている。花立１０は普段、窪み１１の中にすっぽり収められており、使用時は、図１（ａ）の右側花立のように、外側に振り出して、穴１０ａに花を挿す。
【００１０】
枠体６と蓋石７の詳細を、図２および図３に示す。枠体６は石材製で、拝石３の小穴３ａが覗くように中央に長方形の穴６ａを有し、その穴の後辺に沿って半円形断面の受溝６ｂが形成してある。一方、蓋石７の後辺に沿って、前記の受溝６ｂに係合する円形断面部７ａが形成してあり、その部分を枠体の受溝６ａにはめ込んでおけば、蓋石７は、枠体の受溝６ｂの周りに回動することができる。
【００１１】
閉じた状態の蓋石７が左右にずれないように、その裏側、左右に凹部７ｂがあり、蓋を閉じたときこれら凹部に係合する凸部６ｃが枠体６の左右に形成されている。また、蓋石７を開いた状態に保持するために、円形断面部７ａに穴７ｃを設け、この穴に金属製のピンストッパ５を挿入するようにする。このピンは、枠体６の上面に彫った窪み６ｄの中に収まるようになっている。
【００１２】
蓋石７は普段、墓石２の前に目立つように置かれているので、その表面に法名を刻んでおけば、立派な法名碑となる。蓋石７を上に持ち上げて枠体６から外し、これを業者のところに持ち込んで法名を彫ってもらうようにすれば、少ない費用で済む。蓋石７が外されているときに雨の侵入を防ぐために、枠体６の穴６ａを塞ぐために石材製の小蓋１２をスライド自在に設けておく。
【符号の説明】
【００１３】
１    納骨堂
３    拝石
３ａ  小穴
５    ストッパ
６    枠体
６ａ  穴
６ｂ  受溝
７    蓋石
７ａ  円形断面部
１２  小蓋
【図１】
2011219971.tif 000003
【図２】
2011219971.tif 000004
【図３】
2011219971.tif 000005
【図４】
2011219971.tif 000006
(57)【要約】      （修正有）【課題】物流マテハン機器重量ラックのビーム上にクッションストッパーを設置して、そこに商品（重量物）を積んだパレットを保管してビーム（鉄）とパレット（樹脂・木）の滑り防止をする。【解決手段】物流マテハン機器重量ラックのサブビーム上にクッションストッパーを設置して、そこに商品（重量物）を積んだパレットを保管して（ラップ等で商品は固定する）サブビーム（鉄）とパレット（樹脂・木）の滑り防止をする。物流マテハン機器ネステナー上にクッションストッパーを設置して、そこに商品（重量物）を積んだパレットを保管して（ラップ等で商品は固定する）ネステナー（鉄）とパレット（樹脂・木）の滑り防止をする。物流管理上において、商品（重量物）を積んだパレットを保管（ラップ等で商品は固定する）する場合、クッションストッパーを敷きその上に商品（重量物）をつんだパレットを置くことにより床とパレット（樹脂・木）の滑り防止をする。【選択図】図１
2011219275.tif 000002
【特許請求の範囲】
【請求項１】
物流マテハン機器重量ラックのビーム上に耐震性クッションストッパーを設置（１パレット毎４隅または６か所）して、そこに商品（重量物）を積んだパレットを保管して（ラップ等で商品は固定する）ビーム（鉄）とパレット（樹脂・木）の滑り防止をする。
【請求項２】
物流マテハン機器重量ラックのサブビーム上に耐震性クッションストッパーを設置して、そこに商品（重量物）を積んだパレットを保管して（ラップ等で商品は固定する）サブビーム（鉄）とパレット（樹脂・木）の滑り防止をする。
【請求項３】
物流マテハン機器ネステナー上に耐震性クッションストッパーを設置して、そこに商品（重量物）を積んだパレットを保管して（ラップ等で商品は固定する）ネステナー（鉄）とパレット（樹脂・木）の滑り防止をする。
【請求項４】
あらゆる物流管理上において、商品（重量物）を積んだパレットを保管（ラップ等で商品は固定する）する場合、耐震クッションマットを敷きその上に商品（重量物）をつんだパレットを置くことにより接地面（床等）とパレット（樹脂・木）の滑り防止をする。
【請求項５】
素材に国内再生塩化ビニル樹脂（ＰＶＣ）１００％エコ原料を使用する。ゴム製品と違い、難燃性で自己消火性を持っており容易に着火せず、酸性、アルカリ性、アルコール類などの薬品に強い耐久性を持っている。
【発明の詳細な説明】
【技術分野】
【０００１】    本発明は物流マテハン機器・重量物用保管棚に、耐震用クッションストッパーを設けた物流棚に関するものである。
【背景技術】
【０００２】    物流センターでのパレット単位の保管の際、マテハン機器と保管商品の安全性が保てなかった。
【先行技術文献】
【特許文献】
【０００３】
【特許文献１】特開平１１−１４１６１５
【特許文献２】特許公開２００４−２１０５２６
【非特許文献】
【０００４】
【非特許文献１】
【非特許文献２】
【発明の概要】
【発明が解決しようとする課題】
【０００５】    物流マテハン機器から保管商品の落下を防ぐ
【課題を解決するための手段】
【０００６】    耐震用クッションストッパー（耐性塩化ビニル固質タイプ）を重量物用保管棚のビーム及びサブビームに装着する。又ネステナ機器及び商品を耐震用クッションマット（耐性塩化ビニル軟質タイプ）に敷き装着する。
【発明の効果】
【０００７】    積載物の重量により、耐震用クッションストッパーが沈み、積載物をホールドする事により荷物の落下を防ぐ。
【図面の簡単な説明】
【０００８】
【図１】重量物用保管棚使用例及びビーム・サブビームへの耐震クッションストパー取り付け断面図。
【図２】ネステナー使用例及び耐震クッションマット正面図と断面図。
【発明を実施するための形態】
【実施例】
【０００９】重量物用保管棚のビーム部分に耐震クッションストッパーをはめ込みボルトで固定する。サブビーム部分に耐震用クッションストパーをはめ込みする。
ネステナー使用時に、耐震クッションマットを敷く。
パレット保管する場合に、耐震クッションマットを敷く。
【符号の説明】（図１）Ａ  ビーム本体
Ｂ  ボルト
Ｃ  ワッシャー
Ｄ  ナット
Ｅ  耐震クッションストッパー本体
（図２）Ａ  ネステナー
Ｂ  パレット及び商品
Ｃ  耐震クッションマット本体
【図１】
2011219275.tif 000003
【図２】
2011219275.tif 000004
(57)【要約】      （修正有）【課題】缶の内容物を等分する器具を提供する。【解決手段】缶の内容物を取り出し使用する際は、スプーン・フォーク等を用い、目分量で取りそのまま使用するか、別の計量器具を用い、量を計測してから使用していた。蓋を開けた缶の内容物へ、板１を放射線状に組み合わせた形状の中心を円盤２で固定した器具を埋め込むと、その時点で缶の内容物は均等に等分される。そして器具を埋め込んだまま、等分された内容物をスプーン等で取り出すことにより、取り出した分量、カロリー等を把握した使用が可能となる。【選択図】図２
2011219166.tif 000002
【特許請求の範囲】
【請求項１】
板を放射線状に組み合わせた形状の中心を円盤で固定し、缶の内容物へ埋め込み、缶の内容物を等分する器具。
【発明の詳細な説明】
【技術分野】
【０００１】  本発明は、缶の内容物を等分する器具に関するものである。
【背景技術】
【０００２】  従来、缶の内容物を取り出し使用する際は、スプーン・フォーク等を用い、目分量で取りそのまま使用するか、別の計量器具を用い、量を計測してから使用していた。
【発明の開示】
【発明が解決しようとする課題】
【０００３】  そのために、次のような問題点が生じていた。
（イ）缶から取り出す内容物が目分量で取り出されるため、使用回毎に分量にばらつきがあった。
（ロ）缶から取り出した内容物を別の計量器具により毎回計量するのは面倒で、一度に取り出す量の多少によっては再度取り出して追加したり、缶に一部を戻したりする手間がかかった。
（ハ）缶の内容物にはエネルギー（カロリー）・栄養素・食味等を左右するものがあり、計量を無視できないものもあり、ツナ缶の取り分け、キャットフード缶の取り分け等、計量を必要とするものもあり面倒だった。【０００４】  板を放射線状に組み合わせた形状の中心を円盤で固定し、缶の内容物へ埋め込み、缶の内容物を等分する器具である。
【発明の効果】
【０００５】  したがって、缶の内容物を目分量で取り出し一定量を使用できないことや、一定量を使用するために別の計量器具を用いる煩わしさがなくなった。
【発明を実施するための最良の形態】
【０００６】  以下、本発明の実施の形態について説明をする。
（イ）板を放射線状に組み合わせた形状の中心を円盤で固定する。
本発明は以上の構成から成る、缶の内容物を等分する器具である。以下、使用法について説明する。
蓋を開けた缶の内容物へ、缶の内容物を等分する器具を埋め込むと、その時点で缶の内容物は均等に等分される。そして器具を埋め込んだまま、等分された内容物をスプーン等で取り出すことにより、取り出した分量、カロリー等を把握した使用が可能となる。
【図面の簡単な説明】
【０００７】
【図１】本発明の斜視図
【図２】本発明の使用説明図
【符号の説明】
【０００８】１は板
２は円盤
【図１】
2011219166.tif 000003
【図２】
2011219166.tif 000004
(57)【要約】【課題】  従来のカーフロアー（自動車の床）は、車両のフレームに化学繊維素材のフロアーが張られており、その上に可撤式のフロアーマットが装着されている。フロアーマットの洗浄は可能であるが、カーフロアー自体の染みや砂埃の除去は清拭や掃除機でも用意ではない。そこで、この発明は洗浄可能なカーフロアーを提供する。【解決手段】  カーフロアーに防水性のトレー状素材を用い、排水システム（フロアーの傾斜、車外への排水路）を付与することにより上述の課題を解決する。【選択図】図１
2011219072.tif 000002
【特許請求の範囲】
【請求項１】
防水性のトレー状素材を用いたカーフロアー。
【請求項２】
カーフロアーの傾斜および車外への排水路を備えた請求事項１記載のカーフロアー。
【発明の詳細な説明】
【技術分野】
【０００１】  この発明は、カーフロアーに関する。
【背景技術】
【０００２】  従来のカーフロアー（自動車の床）は、車両のフレームに化学繊維素材のフロアーが張られており、その上に可撤式のフロアーマットが装着されている。
【先行技術文献】
【特許文献】
【０００３】
【特許文献１】実用新案公開平７−５９０６号  公報
【特許文献】
【０００４】
【特許文献２】実用新案公開平５−３７５６６号  公報
【発明の概要】
【発明が解決しようとする課題】
【０００５】  上述の構造ではフロアーマットを設置しても泥、砂、埃等による経年的なカーフロアーの汚れは回避できない。フロアーマットの洗浄は可能であるが、カーフロアー自体の染みや砂埃の除去は清拭や掃除機でも用意ではない。そこで、この発明は洗浄可能なカーフロアーを提供することを課題とする。
【課題を解決するための手段】
【０００６】  以上の課題を解決するために、第一発明は、カーフロアーに防水性のトレー状素材を用いることである。また、第二発明は、このカーフロアーに排水システム（フロアーの傾斜、車外への排水路）を設置することである。
【発明の効果】
【０００７】  第一発明、または第二発明によれば、カーフロアーに防水性と排水システムを設置することにより、カーフロアーの洗浄（水洗い、水拭き）が可能になる。
【図面の簡単な説明】
【０００８】
【図１】この発明の実施形態を示す部分横断面図である。
【図２】同縦断面図である。
【図３】同上面図である。
【発明を実施するための形態】
【０００９】  この発明の一実施形態を、図１〜３に示す。車両のフレームに張られるフロアーを防水性のトレー状素材とし、フロアー底面に僅かな傾斜を付与する。さらにこのフロアー最深部に車外への排水路を付与する。通常、排水路はキャップにより封鎖しておく。カーフロアー洗浄時はキャップを外す。
【実施例】
【００１０】  この実施形態によれば、カーフロアー洗浄時の汚水は排水路へと導かれ、確実に車外へと排泄される。微細な砂埃も飛散させることなく、容易にカーフロアーをきれいにすることができる。【００１１】「他の実施形態」
図３の実施形態では、カーフロアーは４ピース（運転席、助手席、後部座席×２）構造であるが、他の実施形態では、２ピース、１ピース、それ以外の分割形態でも良い。すなわち、車種のフレーム形態に応じて変更しても良い。また、図１〜３の実施形態では、排水路の位置は各カーフロアーの外側後方部に設置されているが、他の実施形態では、フロアー最深部であればその設置場所に制限はない。
【符号の説明】
【００１２】１  防水性のトレー状カーフロアー    ２  排水路    ３  車両フレーム
４  通常のフロアー素材
【図１】
2011219072.tif 000003
【図２】
2011219072.tif 000004
【図３】
2011219072.tif 000005
(57)【要約】【課題】降雨時のバックミラーのしずくや曇りを取るバックミラーのしずく防止装置【解決手段】降雨時にバックミラーに付く雨のしずくや曇りをコンプレッサーの高圧の空気で吹き飛ばすバックミラーのしずく防止装置【選択図】図１
2011219071.tif 000002
【特許請求の範囲】
【請求項１】
車の車体にコンプレッサを設けバックミラーに高圧の空気を送り降雨の時の雨のしずくや曇りを吹き飛ばすバックミラーのしずく防止装置。
【発明の詳細な説明】
【技術分野】
【０００１】  本発明は降雨時の時のバックミラーのしずくや曇りを取るバックミラーのしずく防止装置に関するものである
【背景技術】
【０００２】  従来、降雨時に雨のしずくや曇りが付いてバックミラーが見えにくいことがあった  バックミラーに付いたしずくをしずく止めスプレーなどの対策をしていた
【発明の開示】
【発明が解決しようとする課題】
【０００３】  そのために、つぎの様な問題点があった。  （イ）  しずく止めスプレーでは完全に取り除くことができなかった
【課題を解決するための手段】
【０００４】  コンプレッサを用いバックミラーにつけた穴から高圧の空気でしずくや曇りを吹き飛ばすバックミラーのしずく防止装置
【発明の効果】
【０００５】  本発明は、雨のしずくや曇りを瞬時に取り除き又定期的にスプレーをかけることも無く手間がかからない
【発明を実施するための最良の形態】
【０００６】  以下、本発明の実施の形態を説明する。  （イ）  エンジンルームにコンプレッサー（１）を設ける  （ロ）  バックミラー（４）や窓に設けた穴（２）（３）高圧の空気を噴射させしずくや曇りを吹き飛ばす  本発明は、以上の構成よりなっている。  雨のしずくや曇りが付いたら運転席のスイッチを入れコンプレッサー（１）を作動してバックミラー（４）の穴（２）（３）より高圧の空気を噴射させる
【図面の簡単な説明】
【０００７】
【図１】本発明の斜視図
【符号の説明】
【０００８】  １  コンプレッサー  ２  バックミラーの噴出し穴  ３  窓の噴出し穴  ４  バックミラー
【図１】
2011219071.tif 000003
(57)【要約】【課題】  自転車を移動する場合、重量のある自転車を腕力で運んでいた。距離が長くなれば体力消耗により疲労度が増し困難である。本発明は、鍵のかかった自転車などを移動するための自転車移動装置を提供する。【解決手段】載置台は、自転車車輪の下端を載せる台であり、載置台の上部にタイヤを差し込むための開口部、狭持部、を設け載置台の下部に車輪を取付けたことを特徴とする自転車移動装置【選択図】図１
2011219067.tif 000002
【特許請求の範囲】
【請求項１】
長方形の一枚の板を、床板を残して両側を上方へ折り曲げて折り曲げた上端を外側へ折り曲げて開口部を形成した、載置台の底部の前後に車軸を介して４個の車輪を設け後部にステッパーを設けたことを特徴とする自転車移動装置。
【発明の詳細な説明】
【技術分野】
【０００１】  本発明は、放置自転車や、鍵のかかった自転車などの自転車移動装置に関するものである。
【背景技術】
【０００２】  従来は放置自転車や鍵のかかった自転車を移動する装置はなかった。
なお、移動する手段として人体の素手で持上げて所定の場所まで運んでいた。
【発明の概要】
【発明が解決しようとする課題】
【０００３】  鍵のかかった状態で放置された自転車を移動する場合、重量のある自転車を腕力で運んでいた。
距離が長くなれば体力消耗により疲労度が増し困難である。
本発明は、以上の問題点を解決するためになされたものである。
【問題を解決するための手段】
【０００４】  長方形の一枚の板を、床板を残して両側を上方へ折り曲げて折り曲げた上端を外側へ折り曲げて開口部を形成した、載置台の底部の前後に車軸を介して４個の車輪を設け後部にステッパーを設けたことを特徴とする自転車移動装置。
載置台は、自転車車輪の下端を載せる台であり、載置台の上部にタイヤの開口部、狭持部を設け、載置台の下部に車輪を設ける。
以上の構成によりなる自転車移動装置である。
【発明の効果】
【０００５】  従来は、手はこびしていた自転車移動を、本発明により安全に且つ楽に移動することができる。
【図面の簡単な説明】
【０００６】
【図１】本発明の斜視図
【図２】本発明の分解図
【図３】本発明の使用状態を示す後面図
【図４】本発明のステッパーの取付け図
【図５】本発明の自転車の取付け図
【発明を実施するための形態】
【０００７】以下、本発明の実施の形態を説明する。
（イ）断面が台形状の載置台（１）の上部に開口部（２）、側面に挟持部（３）、下面に床板（４）を設ける。
（ロ）載置台（１）の下部に前車軸受（５）後車軸受（６）を設け、前車軸受（５）後車軸受（６）の車軸孔（９）に車軸（７）を通し車輪（８）を回転できるように取付ける。
（ハ）前車軸受（５）に車軸孔（９）後車軸受（６）に車軸孔（９）と係止孔（１０）を設ける。
（ニ）略コの字状のステッパー（１１）に横軸（１２）及び係止軸（１３）を設ける。
（ホ）ステッパー（１１）は係止軸（１３）を係止孔（１０）に差込み、上下できるように取付ける。
本発明は以上のような構造である。
本発明を使用するときは、開口部（２）の上部より、自転車のタイヤを床板（４）に向けて押し込み挟持部（３）がバネ構造になっており自転車タイヤを挟むようにして固定する。
脱輪方法は、ステッパー（１１）を足で固定し、ハンドルとサドルを前方向に押し出して脱輪する。
【符号の説明】
【０００８】１  載置台、
２  開口部、
３  狭持部、
４  床板、
５  前車軸受、
６  後車軸受、
７  車軸、
８  車輪、
９  車軸孔、
１０  係止孔、
１１  ステッパー、
１２  横軸、
１３  係止軸、
【図１】
2011219067.tif 000003
【図２】
2011219067.tif 000004
【図３】
2011219067.tif 000005
【図４】
2011219067.tif 000006
【図５】
2011219067.tif 000007
(57)【要約】【課題】付いてしまった霜を取るには、車のエンジンをかけ霜が取れるまで待つ必要がある。又は水をかけ霜を溶かすまで時間が、かかりすぎる。本発明は以上の問題を解決する為の物である。【解決手段】  昼間、太陽熱で暖められた大気は、夜、放射冷却現象によって、車体に沿って滑昇し、その過程で霜が付くのであるが、車のフロントガラスの上面において、その大気の流れをガード板の通気遮断板によってブロックし、大気熱をとめおく事によって、霜を予防するのである。【選択図】図４
2011219068.tif 000002
【特許請求の範囲】
【請求項１】
プラスチック等のＬ型状に形成されたガード板において、横幅がフロントガラスと同じか少し広くし、前後の長さは車のフロントガラスに安定して吸着出来る適度の長さに形成し、フロントガラスの広さに応じて適度の枚数（２〜３枚程度）を取り付ける。ガード板にはフロントガラスに吸着させる為のバキュームパットを複数個所に取り付け、ガード板下部の縁を車のフロントガラスの形状に密着出来るように形成し数センチ幅のゴム製等の保護材を設けた事を特徴とする放射冷却を利用した自動車のフロントガラス霜除け具。
【発明の詳細な説明】
【技術分野】
【０００１】  本発明は、自動車のフロントガラスに付いた霜を取るのではなく、霜が付くのを予防する。
【背景技術】
【０００２】  従来の自動車のフロントガラスに付いた霜を取る為には、車のエンジンヒーターで暖めるか、フロントガラスに水をかけ霜を溶かしている。
【発明の開示】
【発明が解決しようとする課題】
【０００３】  付いてしまった霜を取るには
（イ）車のエンジンをかけて暖め、霜が取れるまで待たねばならず、時間のロスが大きい。
（ロ）水をかける為の準備と手間がかかり、霜が溶けるまでの時間もかかる。
（ハ）水をかけ一旦溶けても、ぐずぐずしていると又凍ってしまったりする事も多い。
本発明は以上の問題を解決する為のものである。
【問題を解決する手段】
【０００４】  プラスチック等のＬ型状に形成されたガード板において、横幅がフロントガラスと同じか少し広くし、前後の長さは車のフロントガラスに安定して吸着出来る適度の長さに形成し、フロントガラスの広さに応じて適度の枚数（２〜３枚程度）を取り付ける。ガード板にはフロントガラスに吸着させる為のバキュームパットを複数個所に取り付ける。ガード板下部の縁を車のフロントガラスの形状に密着出来るように形成し数センチ幅のゴム製等の保護材を取り付ける。
以上を特徴とする放射冷却を利用した自動車のフロントガラス霜除け具である。
【発明の効果】
【０００５】  自動車のフロントガラスに霜が付いた場合と違って、霜が付くのを予防するので、その霜を取る時間がいらない。必要な時だけ取り付け、取り外しも至極簡単で手間がかからない。
【図面の簡単な説明】
【０００６】
【図１】本発明のー部であるガード板の平面図
【図２】本発明の正面図
【図３】本発明の斜視図
【図４】本発明の実施例を示す側面図
【発明を実施するための最良の形態】
【０００７】  プラスチック等のＬ型状に形成されたガード板（１）において、横幅がフロントガラスと同じか少し広くし、前後の長さは車（５）のフロントガラスに安定して吸着出来る適度の長さに形成し、フロントガラスの広さに応じて適度の枚数（２〜３枚程度）を取り付ける。ガード板（１）にはフロントガラスに吸着させる為のバキュームパット（２）を複数個所に取り付ける。
ガード板（１）下部の縁を車のフロントガラスの形状に密着出来るように形成し数センチ幅のゴム製等の保護材（３）を取り付ける。
本発明は以上のような構造で、これを実際に使用する時は
（イ）ガード板（１）を車（５）の正面のフロントガラスにバキュームパット（２）で止め、セッティングする。
（ロ）昼間、太陽熱放射で暖められた大気は、夜、放射冷却現象によって車体に沿って滑昇してその過程で霜が付くのであるが、車（５）のフロンガラスの上面において、その大気の流れをガード板（１）の通気遮断板（４）によって、ブロックし、滑昇する大気の熱をとめおく事によって霜を予防するのである。
【符号の説明】
【０００８】１  ガード板
２  バキュームパット
３  保護材
４  通気遮断板
５  車
【図１】
2011219068.tif 000003
【図２】
2011219068.tif 000004
【図３】
2011219068.tif 000005
【図４】
2011219068.tif 000006
(57)【要約】【課題】癌に対する免疫を増強できる薬剤を提供する。【解決手段】水溶性のビタミンＥ／デキストリン複合体を有効成分とする癌免疫増強剤。【選択図】なし【特許請求の範囲】
【請求項１】
水溶性のビタミンＥ／デキストリン複合体を有効成分とする癌免疫増強剤。
【発明の詳細な説明】
【技術分野】
【０００１】
本発明は、水溶性のビタミンＥ複合体を有効成分とする癌免疫増強剤に関する。
【背景技術】
【０００２】
毎年、６０万人以上の人が癌に罹患している。癌の予防は人類の緊急の研究課題である。特に成人の癌罹患率が高いのは、癌に対する免疫活性が加齢と共に低下するからであると考えられている。
【０００３】
癌への免疫増強剤としては種々のものが提案されている。本発明者らもニトロトリアゾール誘導体を有効成分とする免疫増強剤を提案している（特許文献１）。
【先行技術文献】
【特許文献】
【０００４】
【特許文献１】国際公開第００／５１６０１号パンフレット
【発明の概要】
【発明が解決しようとする課題】
【０００５】
本発明者らは、癌に対する免疫を増強させるための有効成分として、天然または合成の種々の化合物を検討し、その結果、水溶性にしたビタミンＥ複合体が免疫力を増大させることを見出し、本発明に到達した。
【０００６】
すなわち本発明は新たな免疫増強剤を提供することにある。
【課題を解決するための手段】
【０００７】
本発明の癌免疫増強剤は、水溶性のビタミンＥ−デキストリン複合体を有効成分とする。
【発明の効果】
【０００８】
本発明の癌免疫増強剤によれば、癌に対する免疫力の目安である白血球数、胸腺細胞数、骨髄細胞数の増大が認められ、また、抗癌剤による治療の間においても免疫力の増強が確認できる。
【発明を実施するための形態】
【０００９】
本発明の有効成分である水溶性のビタミンＥ−デキストリン複合体は、全く水に溶解しない脂溶性ビタミンＥをデキストリンに包摂させ複合化することで水溶性化したものである。このビタミンＥの水溶性化は、特開２０１０−４６００２号公報に記載された方法で行うことができる。
【００１０】
水溶性のビタミンＥ−デキストリン複合体を製剤化する場合、さらに中鎖脂肪酸トリグリセライド、乳化剤などを配合した粉末の形態とすることが、水溶化したときの安定性が良好な点から好ましい。本発明で用いるビタミンＥ−デキストリン複合体の水に対する溶解度（飽和濃度）は約５０質量％である。
【００１１】
本発明の免疫増強剤は水溶性であるので、粉剤、液剤、錠剤などに製剤化でき、経口投与、腹腔内投与、静脈内投与、筋肉内投与など種々の投与方法を選択できる。
【００１２】
ビタミンＥおよびデキストリンはいずれも毒性がなく、本発明で用いるビタミンＥ−デキストリン複合体も毒性がない。その投与量は、投与方法などによって、１０〜１０００ｍｇ／ｋｇ体重、さらには５０〜５００ｍｇ／ｋｇ体重の範囲で適宜選定すればよい。
【実施例】
【００１３】
つぎに実施例をあげて本発明を具体的に説明するが、本発明はこれらの実施例のみに限定されるものではない。
【００１４】
なお、癌に対する免疫力の評価は、白血球数、胸腺細胞数、骨髄細胞数などで行うことができる。
【００１５】
対照例
６週齢の雌性ＣＢ５７／６マウス（体重約２５ｇ：１群６匹）に、食塩水（０．９質量％水溶液）０．２ｍｌを１日１回で７日間、経口投与した。
【００１６】
７日後、被験マウスの白血球数、胸腺細胞数および骨髄細胞数を調べたところ、白血球数（１０6個／ｍｌ）は１９４．４、胸腺細胞数（１０6個／胸腺）は１４６．３、骨髄細胞数（１０6個／大腿骨）は２７．８であった。
【００１７】
比較例１
抗癌剤であるシクロホスファミド(エンドキサン)を２５０ｍｇ／ｋｇ体重を腹腔内に投与した６週齢の雌性ＣＢ５７／６マウス（体重約２５ｇ：１群６匹）に、食塩水（０．９質量％水溶液）０．２ｍｌを１日１回で７日間、腹腔内に投与した。
【００１８】
７日後、被験マウスの白血球数、胸腺細胞数および骨髄細胞数を調べたところ、白血球数（１０6個／ｍｌ）は１９４．７（対照例とほぼ同じ）、胸腺細胞数（１０6個／胸腺）は２７．０（対照例の約０．１８倍）、骨髄細胞数（１０6個／大腿骨）は２８．０（対照例とほぼ同じ）であった。
【００１９】
実施例１
６週齢の雌性ＣＢ５７／６マウス（体重約２５ｇ：１群６匹）に、ビタミンＥ−デキストリン複合体（ビタミンＥ１３．５質量％、デキストリン６４．５質量％、中鎖脂肪酸トリグリセライド１３．５質量％、乳化剤０．８質量％。以下、「ＶＥＤコンプレックス」という）１００ｍｇ／ｋｇ体重を１日１回で７日間経口投与した。
【００２０】
７日後、被験マウスの白血球数、胸腺細胞数および骨髄細胞数を調べたところ、白血球数（１０6個／ｍｌ）は２７２．０（対照例の約１．４倍）、胸腺細胞数（１０6個／胸腺）は１４８．０（対照例とほぼ同じ）、骨髄細胞数（１０6個／大腿骨）は３２．３（対照例の約１．１６倍）であった。
【００２１】
実施例２
抗癌剤であるシクロホスファミド(エンドキサン)を２５０ｍｇ／ｋｇ体重を腹腔内に投与した６週齢の雌性ＣＢ５７／６マウス（体重約２５ｇ：１群６匹）に、ＶＥＤコンプレックス１００ｍｇ／ｋｇ体重を１日１回で７日間経口投与した。
【００２２】
７日後、被験マウスの白血球数、胸腺細胞数および骨髄細胞数を調べたところ、白血球数（１０6個／ｍｌ）は２６６．５（比較例１の約１．４倍）、胸腺細胞数（１０6個／胸腺）は４８．７（比較例１の約１．８０倍）、骨髄細胞数（１０6個／大腿骨）は３６．６（比較例１の約１．３１倍）であった。
【００２３】
これらの結果から、ビタミンＥ−デキストリン複合体を投与するときは、癌に対する免疫力の目安である白血球数、胸腺細胞数、骨髄細胞数の増大が認められ、また、抗癌剤による治療の間においても免疫力の増強が確認できる。
(57)【要約】      （修正有）【課題】パソコンはプリンタとは別々の所に置いてあり、置き場所にスペースを必要としていて、どこに置いたらいいのか困ることが多かった。また、パソコンとプリンタとの配線も邪魔になることがあった。パソコンを置くスペースをなるべく少なくする構成、形態、形状を提供する。【解決手段】プリンタの下に置けるようにパソコンの上部の形をプリンタの底の形に合わせる。【選択図】図１
2011113555.tif 000002
【特許請求の範囲】
【請求項１】
プリンタの下に置けるように大きさをプリンタに合わせた形のパソコン。
【発明の詳細な説明】
【技術分野】
【０００１】    この発明はパソコンの形をプリンタの下に置けるようにしたパソコンである。
【背景技術】
【０００２】    従来、パソコンはプリンタの下に置けるようにしていなかった。
【発明の開示】
【発明が解決しようとする課題】
【０００３】    パソコンはプリンタとは別々の所に置いてあり、置き場所にスペースを必要としていて、どこに置いたらいいのか困ることが多かった。
【課題を解決するための手段】
【０００４】    この課題を解決するためにパソコンの形をプリンタの底の形に合わせて、下に置けるようにしたものである。
【発明の効果】
【０００５】    これによりパソコンの置き場所にスペースを必要としなくなり、プリンタとの配線も邪魔にならずに済む。
【発明を実施するための最良の形態】
【０００６】    パソコンの上部の形をプリンタの底の形に合わせて、プリンタの下に置けるようにする。
【図面の簡単な説明】
【０００７】
【図１】  本発明の正面図である。
【図２】  本発明の側面図である。
【符号の説明】
【０００８】
【図１】
2011113555.tif 000003
【図２】
2011113555.tif 000004